Podtech/llm-jp-corpus-v4-ja_patent huggingface dataset:
【手続補正書】
【提出日】令和2年7月14日(2020.7.14)
【手続補正１】
【補正対象書類名】特許請求の範囲
【補正対象項目名】全文
【補正方法】変更
【補正の内容】
【特許請求の範囲】
【請求項１】
医学−光学式表示システムが少なくとも１つの画像データセット（ＢＤ）を物体画像（ＯＢ）にデータオーバーレイするためのデータオーバーレイユニット（７４）を備えている、医学−光学式観察装置（２、４８）によって得られる観察される物体（Ｏ）の物体画像（ＯＢ）を表示するための医学−光学式表示システムを作動させるための方法であって、
前記物体画像（ＯＢ）内で小さな活動度を有する少なくとも１つの範囲（Ｂ）を決定するステップ（Ｓ１００）と、
小さな活動度を有する少なくとも１つの前記範囲（Ｂ）内で少なくとも１つの前記画像データセット（ＢＤ）をオーバーレイするステップ（Ｓ２００）
を有する方法。
【請求項２】
前記範囲（Ｂ）決定するために、次の中間ステップ、すなわち
個々の物体画像（ＯＢ）の時間的なシーケンスを示すソース画像データセット（ＲＤ）を検出するステップ（Ｓ１１０）と、
前記ソース画像データセットの画像点の時間的な可変性（Ｖ）を決定するステップ（Ｓ１２０）と、
時間的な前記可変性（Ｖ）を設定された可変性限界値（ＧＶ）と比較するステップ（Ｓ１３０）と、
小さな時間的可変性を有するまとまりのある少なくとも１つの領域を発生するために、決定された時間的可変性が前記可変性限界値（ＧＶ）を下回る画像点を集合するステップ（Ｓ１４０）と、
小さな活動度を有する少なくとも１つの範囲（Ｂ）として、小さな時間的可変性を有するまとまりのある少なくとも１つの領域を定めるステップ（Ｓ１５０）
とが実施されることを特徴とする請求項１に記載の方法。
【請求項３】
画像処理によって、小さな時間的可変性を有するまとまりのある個々の領域が、小さな時間的可変性を有するまとまりのある大きな領域に統合され、小さな時間的可変性を有するまとまりのある大きな前記領域が小さな活動度を有する少なくとも１つの範囲（Ｂ）として定められることを特徴とする請求項２に記載の方法。
【請求項４】
前記画像点が前記ソース画像データセット（ＲＤ）のピクセルであることを特徴とする請求項２または３に記載の方法。
【請求項５】
前記画像点が前記ソース画像データセット（ＲＤ）のピクセルからなるピクセルグループであることを特徴とする請求項２または３に記載の方法。
【請求項６】
前記画像データセット（ＢＤ）内に示された画像内容の大きさおよび／または形を考慮して、小さな活動度を有する少なくとも１つの前記範囲（Ｂ）内で、前記画像データセット（ＢＤ）のオーバーレイを行う場所の決定が行われることを特徴とする請求項１〜５のいずれか一項に記載の方法。
【請求項７】
高い活動度が予想される前記ソース画像データセット（ＲＤ）内の所定の範囲を最初から、小さな活動度を有する少なくとも１つの範囲（Ｂ）として排除するために、前記観察物体（Ｏ）の深さマップが用いられ、および／またはパターン認識に基づいて、機器ディスプレイまたは視野で結像される前記ソース画像データセット（ＲＤ）内の範囲が認識され、最初から小さな活動度を有する少なくとも１つの範囲（Ｂ）として排除されることを特徴とする請求項１〜６のいずれか一項に記載の方法。
【請求項８】
プログラムコードがコンピュータ内に装入され、および／またはコンピュータ内で実施されるときに、請求項１〜７のいずれか一項に記載の方法を実施するためのコンピュータ化可能な命令を有するプログラムコードを含むコンピュータプログラム製品。
【請求項９】
医学−光学式観察装置（２、４８）によって得られた物体画像（ＯＢ）を表示するための医学−光学式表示システムであって、
少なくとも１つの画像データセット（ＢＤ）を前記物体画像（ＯＢ）にオーバーレイするように形成されたデータオーバーレイユニット（７４）と、
前記物体画像（ＯＢ）内で小さな活動度を有する少なくとも１つの範囲（Ｂ）を決定するように形成された範囲決定ユニット（７２）とを備え、
前記データオーバーレイユニット（７４）が、小さな活動度を有する前記物体画像（ＯＢ）の少なくとも１つの範囲（Ｂ）内に少なくとも１つの画像データセット（ＢＤ）をオーバーレイするように形成されている、
医学−光学式表示システム。
【請求項１０】
さらに、物体（Ｏ）を観察するためおよび観察される物体（Ｏ）の画像を物体画像（ＯＢ）として撮影するための医学−光学式観察装置（２、４８）を含んでいることを特徴とする請求項９に記載の医学−光学式表示システム。
【請求項１１】
前記範囲決定ユニット（７２）が、
個々の物体画像（ＯＢ）の時間的なシーケンスを示すソース画像データセット（ＲＤ）を読み込むための読み込みユニット（７６）と、
前記ソース画像データセットの画像点の時間的な可変性（Ｖ）を決定するための評価ユニット（８０）と、
前記の時間的な可変性（Ｖ）を設定された可変性限界値（ＧＶ）と比較するための比較ユニット（８２）と、
小さな時間的可変性を有する少なくとも１つのまとまりのある領域を発生するために、決定された時間的可変性が可変性限界値（ＧＶ）を下回る画像点を集合させるためのクラスタユニット（８４）と、
小さな活動度を有する少なくとも１つの範囲（Ｂ）として、小さな時間的可変性を有する少なくとも１つのまとまりのある領域を定めるための決定ユニット（８６）と
を含んでいることを特徴とする請求項９または１０に記載の医学−光学式表示システム。
【請求項１２】
画像処理ユニット（８５）が設けられ、この画像処理ユニットが画像処理によって、小さな時間的可変性を有するまとまりのある個々の領域を、小さな時間的可変性を有するまとまりのある大きな領域に統合し、
前記決定ユニット（８６）が、小さな時間的可変性を有するまとまりのある大きな領域を、小さな活動度を有する少なくとも１つの範囲（Ｂ）として定めるように形成されていることを特徴とする請求項１１に記載の医学−光学式表示システム。
【請求項１３】
前記画像点が前記ソース画像データセット（ＲＤ）のピクセルであることを特徴とする請求項１１に記載の医学−光学式表示システム。
【請求項１４】
前記画像点が前記ソース画像データセット（ＲＤ）のピクセルからなるピクセルグループであることを特徴とする請求項１１または１２に記載の医学−光学式表示システム。
【請求項１５】
前記データオーバーレイユニット（７４）が、小さな活動度を有する少なくとも１つ範囲（Ｂ）内で、少なくとも１つの画像データセット（ＢＤ）のオーバーレイを行う場所を決定するために、前記画像データセット（ＢＤ）内に示された画像内容の大きさおよび／または形を考慮するように形成されていることを特徴とする請求項９〜１４のいずれか一項に記載の医学−光学式表示システム。
【請求項１６】
前記範囲決定ユニット（７２）が予備選択装置を含み、この予備選択装置が、前記観察物体（Ｏ）の深さマップに基づいて、高い活動度が予想される前記ソース画像データセット（ＲＤ）内の所定の範囲を最初から、小さな活動度を有する少なくとも１つの範囲（Ｂ）として排除し、および／またはパターン認識に基づいて、機器ディスプレイまたは視野で結像される前記ソース画像データセット（ＲＤ）内の範囲を最初から、小さな活動度を有する少なくとも１つの範囲（Ｂ）として排除することを特徴とする請求項９〜１５のいずれか一項に記載の医学−光学式表示システム。
【手続補正書】
【提出日】令和2年4月20日(2020.4.20)
【手続補正１】
【補正対象書類名】特許請求の範囲
【補正対象項目名】全文
【補正方法】変更
【補正の内容】
【特許請求の範囲】
【請求項１】
禁煙患者のために使用されるプログラムであって、コンピュータに、
患者によって入力された喫煙の有無を示す申告情報を受信する段階と、
喫煙状態を示す生体指標濃度を測定する生体指標濃度測定器によって測定された前記患者の生体試料の生体指標濃度測定値を受信する段階と、
前記申告情報前記生体指標濃度測定値及び生体指標濃度基準値に基づいて、前記生体指標濃度測定値と前記申告情報との整合性を判定する整合性判定段階と、
整合性判定結果に基づいて、前記患者に対して実行する禁煙治療法のための禁煙治療情報を生成する段階と、
前記生成された禁煙治療情報を患者側装置に送信する段階と、
を実行させるプログラム。
【手続補正書】
【提出日】令和2年6月4日(2020.6.4)
【手続補正１】
【補正対象書類名】特許請求の範囲
【補正対象項目名】全文
【補正方法】変更
【補正の内容】
【特許請求の範囲】
【請求項１】
表示部を備えるヘッドマウントデバイスを介してユーザに仮想体験を提供するためにコンピュータによって実行される情報処理方法であって、
前記ユーザの手に関連付けられた手オブジェクトおよび前記手オブジェクトにより操作されるオブジェクトの少なくとも一方を含む操作オブジェクトと、前記操作オブジェクトと相互に作用する対象オブジェクトと、を含む仮想空間を規定する仮想空間データを生成するステップと、
前記ヘッドマウントデバイスの動きと前記ユーザの手の動きとを検出するステップと、
前記ユーザの手の動きに応じて、前記操作オブジェクトを動かすステップと、
前記操作オブジェクトの移動速度に基づいて、前記操作オブジェクトに関連付けられるコリジョン効果を決定するステップと、
前記操作オブジェクトと前記対象オブジェクトとが衝突した場合に、前記操作オブジェクトと前記対象オブジェクトとの関係に応じた処理を実行するステップと、
前記ヘッドマウントデバイスの動きと前記仮想空間データとに基づいて視界画像を生成し、前記表示部に前記視界画像を表示させるステップと、
を含み、
前記コリジョン効果は、前記操作オブジェクトに関連付けられるコリジョンエリアのサイズ、または、前記コリジョンエリアに基づいて前記操作オブジェクトと前記対象オブジェクトとが衝突したと判定された場合に生じさせる所定のパラメータの変動量であり、
前記所定のパラメータは、前記ユーザに関連付けられたパラメータを含み、
前記操作オブジェクトの移動速度が予め定められた閾値以下の場合には、前記コリジョン効果を無効化する、情報処理方法。
【請求項２】
前記仮想空間は、複数の対象オブジェクトを含み、
前記操作オブジェクトと衝突した前記対象オブジェクトに応じて前記所定のパラメータを異ならせる
請求項１に記載の情報処理方法。
【請求項３】
前記操作オブジェクトの移動速度が大きい程、前記コリジョンエリアのサイズを大きくまたは小さくする、
請求項２に記載の情報処理方法。
【請求項４】
前記所定のパラメータは、前記対象オブジェクトに関連付けられたパラメータをさらに含み、
前記操作オブジェクトと第１の対象オブジェクトとが衝突した場合に、前記操作オブジェクトの移動速度が大きい程、前記対象オブジェクトに関連付けられたパラメータの変動量を大きくまたは小さくし、
前記操作オブジェクトと前記第１の対象オブジェクトとは異なる第２の対象オブジェクトとが衝突した場合に、前記操作オブジェクトの移動速度が大きい程、前記ユーザに関連付けられたパラメータの変動量を小さくまたは大きくする、
請求項２に記載の情報処理方法。
【請求項５】
前記対象オブジェクトに対する前記操作オブジェクトの移動方向に基づいて、前記コリジョン効果を決定するステップをさらに含む、
請求項２〜４のいずれか一項に記載の情報処理方法。
【請求項６】
請求項１〜５のいずれか一項に記載の情報処理方法をコンピュータに実行させる、プログラム。
【請求項７】
少なくともメモリと、前記メモリに結合されたプロセッサとを備え、前記プロセッサの制御により請求項１〜５のいずれか一項に記載の情報処理方法を実行する、装置。
【手続補正書】
【提出日】令和2年4月10日(2020.4.10)
【手続補正１】
【補正対象書類名】特許請求の範囲
【補正対象項目名】全文
【補正方法】変更
【補正の内容】
【特許請求の範囲】
【請求項１】
ディスプレイと、
前記ディスプレイの周囲に配置されたフレーム領域を含む筐体と、
前記フレーム領域に、それぞれが離間して設けられた複数の近接センサと、
前記筐体内に設けられた前記複数の近接センサの検出結果の組み合わせに応じ複数の異なる処理を実行する処理部と、
を具備する電子機器。
【請求項２】
前記複数の近接センサは、人体の近接を検出する第１センサと第２センサを具備し、
前記処理部は、
前記第１センサが近接を検出し、前記第２センサが近接を検出する場合、第１の処理を実行し、
前記第１センサが近接を検出せず、前記第２センサが近接を検出する場合、第２の処理を実行する請求項１記載の電子機器。
【請求項３】
前記第１センサは、人体の近接により静電容量が変化する第１電極と、前記第１電極の静電容量を検出する回路と、を具備し、
前記第２センサは、人体の近接により静電容量が変化する第２電極と、前記第２電極の静電容量を検出する回路と、を具備し、
前記第１電極は前記電子機器の筐体の第１側面に設けられ、
前記第２電極は前記筐体の前記第１側面に対向する第２側面に設けられる請求項２記載の電子機器。
【請求項４】
前記複数の近接センサは、人体の近接を検出する第１センサと第２センサと第３センサを具備し、
前記処理部は、
前記第１センサが近接を検出し、前記第２センサが近接を検出する場合、第１の処理を実行し、
前記第３センサが近接を検出し、前記第２センサが近接を検出する場合、第２の処理を実行する請求項１記載の電子機器。
【請求項５】
前記第１センサは、人体の近接により静電容量が変化する第１電極と、前記第１電極の静電容量を検出する回路と、を具備し、
前記第２センサは、人体の近接により静電容量が変化する第２電極と、前記第２電極の静電容量を検出する回路と、を具備し、
前記第３センサは、人体の近接により静電容量が変化する第３電極と、前記第３電極の静電容量を検出する回路と、を具備し、
前記第１電極と前記第３電極は前記電子機器の筐体の第１側面に設けられ、前記第２電極は前記筐体の前記第１側面に対向する第２側面に設けられる請求項４記載の電子機器。
【請求項６】
前記複数の近接センサの検出結果に応じて点灯する複数のランプをさらに具備する請求項２、請求項３、請求項４のいずれか一項記載の電子機器。
【請求項７】
前記ディスプレイは、前記複数の近接センサの検出結果の組み合わせに応じて実行される処理を設定する画面を表示する請求項１乃至請求項６のいずれか一項記載の電子機器。
【請求項８】
人体の近接を検出する近接センサと、
前記近接センサが前記人体の近接を検出する期間の長短又は前記近接センサが前記人体の近接を複数回検出する場合、複数回の検出の間隔又は一定時間内の検出回数に応じた処理を実行する処理部と、
を具備する電子機器。
【請求項９】
前記近接センサが前記人体の近接を検出する期間の長短又は前記複数回の検出の間隔又は前記一定時間内の検出回数に応じた処理を設定する画面を表示する手段をさらに具備する請求項８記載の電子機器。
【請求項１０】
前記処理は、前記電子機器のユーザＩＤの入力処理を含む請求項２、請求項３、請求項４、請求項８、請求項９のいずれか一項記載の電子機器。
【請求項１１】
複数の近接センサを具備する電子機器における方法であって、
前記複数の近接センサの検出結果の組み合わせに応じた処理を実行する方法。
【請求項１２】
コンピュータにより実行されるプログラムであって、前記プログラムは前記コンピュータに、
複数の近接センサの検出結果の組み合わせに応じた処理を実行させるためのプログラム。
【手続補正２】
【補正対象書類名】明細書
【補正対象項目名】０００６
【補正方法】変更
【補正の内容】
【０００６】
実施形態によれば、電子機器は、ディスプレイと、ディスプレイの周囲に配置されたフレーム領域を含む筐体と、フレーム領域に、それぞれが離間して設けられた複数の近接センサと、筐体内に設けられた複数の近接センサの検出結果の組み合わせに応じ複数の異なる処理を実行する処理部とを具備する。
【手続補正書】
【提出日】令和2年3月3日(2020.3.3)
【手続補正１】
【補正対象書類名】明細書
【補正対象項目名】００３８
【補正方法】変更
【補正の内容】
【００３８】
出射装置駆動部１４５Ａは、光出射装置２００Ａに接続され、光出射装置２００Ａを駆動する。出射装置駆動部１４５Ａは、制御部１７０Ａの制御に従ってパルス信号を生成し、生成したパルス信号を光出射装置２００Ａに出力する。出射装置駆動部１４５Ａから入力されるパルス信号によって、第１光源部２１１Ａ及び第２光源部２１２Ａの点灯と消灯とが制御される。制御部１７０Ａは、出射装置駆動部１４５Ａを制御し、後述する撮像部１４１Ａが撮像を行うタイミングに同期して第１光源部２１１Ａ及び第２光源部２１２Ａを点灯させる。
【手続補正２】
【補正対象書類名】明細書
【補正対象項目名】００５７
【補正方法】変更
【補正の内容】
【００５７】
図４は、プロジェクター１００Ａ及び１００Ｂの設置状態を示す図である。
本実施形態では、光出射装置２００Ａ及び２００Ｂは、それぞれプロジェクター１００Ａ及び１００Ｂの直下に設置される。このため、光出射装置２００Ａ及び２００Ｂの設置状態は、プロジェクター１００Ａ及び１００Ｂの設置状態とも言い換えることができる。このため、以下の説明では、光出射装置２００Ａ及び２００Ｂの設置状態を、プロジェクター１００Ａ及び１００Ｂの設置状態とも言う。
出力制御部１７４Ａが判定する光出射装置２００Ａの設置状態には、以下の状況がある。まず第１の設置状態として、図４に示すように２台のプロジェクター１００Ａ及び１００Ｂが横方向に並べて配置された場合が挙げられる。特に、図４に示すように、光出射装置２００Ａと光出射装置２００Ｂとが近くに設置され、光出射装置２００Ａが照射する赤外光の一部と、光出射装置２００Ｂが照射する赤外光の一部とが重なる場合である。図４には、光出射装置２００Ａの第２光源部２１２Ａが照射する赤外光の一部と、光出射装置２００Ｂの第１光源部２１１Ｂが照射する赤外光の一部とが重なり合っている場合を示す。２つの光出射装置２００Ａ、２００Ｂにより照射される赤外光が重なり合った領域の光量は、赤外光が重なり合っていない領域の光量より多くなる。撮像部１４１Ａ又は１４１Ｂの撮像画像データから指示体８０の指示位置を検出するためには、指示位置を検出する投射領域１０Ａ及び１０Ｂに沿って照射される赤外光の光量を一定光量以上にする必要がある。しかし、指示位置の検出に必要な光量以上の光量があると、指示体８０で反射する赤外光が広がりすぎてしまうため、検出精度の向上の観点から好ましくない。このため、出力制御部１７４Ａは、判定した光出射装置２００Ａの設置状態に基づいて、出射装置駆動部１４５Ａを制御し、第１光源部２１１Ａ及び第２光源部２１２Ａに供給される電力を調整する。図４に示す光出射装置２００Ａの設置状態の場合、出力制御部１７４Ａは、第２光源部２１２Ａの出力を第１光源部２１１Ａの出力よりも下げるように出射装置駆動部１４５Ａを制御する。
また、出力制御部１７４Ａは、プロジェクター１００Ｂに、光出射装置２００Ｂの出力する赤外光の出力を下げるように指示する。プロジェクター１００Ｂは、プロジェクター１００Ａと同様に、光出射装置２００Ｂの設置状態を判定することができる。プロジェクター１００Ｂの出力制御部１７４Ｂは、プロジェクター１００Ａからの指示を受信すると、判定した光出射装置２００Ｂの設置状態に基づき、第１光源部２１１Ｂの出力を第２光源部２１２Ｂの出力よりも下げるように出射装置駆動部１４５Ｂを制御する。
【手続補正３】
【補正対象書類名】明細書
【補正対象項目名】００８８
【補正方法】変更
【補正の内容】
【００８８】
制御部１７０Ａは、出射装置駆動部１４５Ａを制御して、光出射装置２００Ａの第１光源部２１１Ａ及び第２光源部２１２Ａに赤外光を出力させると、撮像部１４１Ａの撮像素子に赤外光の光量を測定させる（ステップＳ７）。そして、制御部１７０Ａは、撮像素子の受光量に基づいて、反射体７０を配置した位置における赤外光の光量を判定する。制御部１７０Ａは、撮像素子の受光量と、基準値とを比較して、反射体７０を配置した位置における赤外光の光量を判定する。制御部１７０Ａは、撮像素子の受光量と基準値との差を求め、求めた差をしきい値と比較する（ステップＳ８）。制御部１７０Ａは、受光量と基準値との差がしきい値以上であると判定した場合（ステップＳ８／ＹＥＳ）、ステップＳ３で判定した設置状態に応じて第１光源部２１１Ａ又は第２光源部２１２Ａのいずれか一方の赤外光の光量を一定量だけ下げる（ステップＳ９）。また、制御部１７０Ａは、光出射装置２００Ａの設置状態が第１パターン又は第２パターンである場合、プロジェクター１００Ｂに、光出射装置２００Ｂの出力する赤外光の光量を一定量だけ下げるように指示する（ステップＳ１０）。プロジェクター１００Ａからの指示を受信したプロジェクター１００Ｂの制御部１７０Ｂは、判定した光出射装置２００Ｂの設置状態に応じて第１光源部２１１Ｂ又は第２光源部２１２Ｂのいずれか一方の出力する赤外光の光量を一定量だけ下げる。また、制御部１７０Ａは、受光量と基準値との差がしきい値よりも小さい場合（ステップＳ８／ＮＯ）、この処理フローを終了させる。
【手続補正４】
【補正対象書類名】明細書
【補正対象項目名】００８９
【補正方法】変更
【補正の内容】
【００８９】
この処理フローでは、光出射装置２００Ａ及び２００Ｂの設置状態が第１パターン及び第２パターンに該当する場合に、判定したパターンに対応する投射領域１０Ａ及び１０Ｂの位置に反射体７０を配置させ、光出射装置２００Ａ及び２００Ｂの出力を調整した。これ以外に、プロジェクター１００Ａは、光出射装置２００Ａの設置状態が第１パターン又は第２パターンに該当すると判定した場合、判定したパターンに応じて第１光源部２１１Ａ又は第２光源部２１２Ａの出力を一定量だけ下げるようにしてもよい。すなわち、反射体７０を使用して反射体７０で反射される赤外光の光量を撮像部１４１で測定する処理を行うことなく、第１光源部２１１Ａ又は第２光源部２１２Ａの出力を予め設定された光量だけ下げるようにしてもよい。
また、プロジェクター１００Ａは、光出射装置２００Ａの設置状態が第３パターン又は第４パターンに該当すると判定した場合、判定したパターンに応じて第１光源部２１１Ａ又は第２光源部２１２Ａの出力を一定量だけ下げるようにしてもよい。すなわち、出力制御部１７４は、プロジェクター１０の近くに壁があると判定した場合に、第１光源部２１１Ａ又は第２光源部２１２Ａのうち、壁に近い側の光源部の出力を一定量だけ下げるようにしてもよい。
【手続補正書】
【提出日】令和2年7月27日(2020.7.27)
【手続補正１】
【補正対象書類名】特許請求の範囲
【補正対象項目名】全文
【補正方法】変更
【補正の内容】
【特許請求の範囲】
【請求項１】
一の移動体からの問合せに応じて、推奨する移動ラインに関する情報を提供する装置であって、
他の移動体の移動に伴う移動ラインである移動情報と、前記移動情報を取得した際の前記他の移動体の移動環境である環境情報とを取得する取得部と、
前記移動情報と前記環境情報とに基づいて、前記一の移動体に推奨する移動ラインの情報を出力する出力部とを有し、
前記環境情報は、前記他の移動体が移動情報を取得した際の天候、風向、風速のうち少なくとも一つを含む装置。
【請求項２】
前記環境情報は、前記他の移動体が移動情報を取得した際の季節、時間、明るさ、気温、湿度のうちの少なくとも一つを含み、
前記他の移動体自体の情報は、車種、移動性能に影響する装備、安全装備、移動距離、移動体の高さのうち少なくとも一つを含む請求項１記載の装置。
【請求項３】
前記出力部は、前記移動情報、前記環境情報、及び前記他の移動体自体の情報に基づいて、前記一の移動体に推奨する移動ラインの情報を出力する請求項１または２に記載の装置。
【請求項４】
一の移動体からの問合せに応じて、推奨する移動ラインに関する情報を提供するステップをコンピュータに実行させるためのプログラムであって、
前記ステップは、
他の移動体の移動に伴う移動ラインである移動情報と、前記移動情報を取得した際の前記他の移動体の移動環境である環境情報とを取得する取得ステップと、
前記移動情報と前記環境情報とに基づいて、前記一の移動体に推奨する移動ラインの情報を出力する出力ステップとを有し、
前記環境情報は、前記他の移動体が移動情報を取得した際の天候、風向、風速のうち少なくとも一つを含むプログラム。
【手続補正２】
【補正対象書類名】明細書
【補正対象項目名】発明の名称
【補正方法】変更
【補正の内容】
【発明の名称】装置及びプログラム
【手続補正３】
【補正対象書類名】明細書
【補正対象項目名】０００４
【補正方法】変更
【補正の内容】
【０００４】
本発明は、移動体に推奨する移動ラインに関する情報を提供する装置およびプログラムを提供することを課題とする。
【手続補正４】
【補正対象書類名】明細書
【補正対象項目名】０００６
【補正方法】変更
【補正の内容】
【０００６】
本発明の一形態によれば、一の移動体からの問合せに応じて、推奨する移動ラインに関する情報を提供する装置を提供する。この装置は、一の移動体からの問合せに応じて、推奨する移動ラインに関する情報を提供する装置であって、他の移動体の移動に伴う移動ラインである移動情報と、移動情報を取得した際の他の移動体の移動環境である環境情報とを取得する取得部と、移動情報と環境情報とに基づいて、一の移動体に推奨する移動ラインの情報を出力する出力部とを有し、環境情報は、他の移動体が移動情報を取得した際の天候、風向、風速のうち少なくとも一つを含む装置。
【手続補正５】
【補正対象書類名】明細書
【補正対象項目名】０００７
【補正方法】変更
【補正の内容】
【０００７】
上記の装置において、環境情報は、他の移動体が移動情報を取得した際の季節、時間、明るさ、気温、湿度のうちの少なくとも一つを含み、他の移動体自体の情報は、車種、移動性能に影響する装備、安全装備、移動距離、移動体の高さのうち少なくとも一つを含む。
【手続補正６】
【補正対象書類名】明細書
【補正対象項目名】０００８
【補正方法】変更
【補正の内容】
【０００８】
上記の装置において、出力部は、移動情報、環境情報、及び他の移動体自体の情報に基づいて、一の移動体に推奨する移動ラインの情報を出力する。
【手続補正７】
【補正対象書類名】明細書
【補正対象項目名】０００９
【補正方法】変更
【補正の内容】
【０００９】
本発明の他の態様として、一の移動体からの問合せに応じて、推奨する移動ラインに関する情報を提供するステップをコンピュータに実行させるためのプログラムを提供する。このプログラムにおいて、ステップは、他の移動体の移動に伴う移動ラインである移動情報と、移動情報を取得した際の他の移動体の移動環境である環境情報とを取得する取得ステップと、移動情報と環境情報とに基づいて、一の移動体に推奨する移動ラインの情報を出力する出力ステップとを有し、環境情報は、他の移動体が移動情報を取得した際の天候、風向、風速のうち少なくとも一つを含む。
【手続補正書】
【提出日】令和2年4月1日(2020.4.1)
【手続補正１】
【補正対象書類名】特許請求の範囲
【補正対象項目名】全文
【補正方法】変更
【補正の内容】
【特許請求の範囲】
【請求項１】
オペレーティングシステムからプリンタを探索する指示を受け付ける受付手段と、
前記指示を受け付けた場合に、プリンタを探索する探索手段と、
前記探索によって見つかったプリンタのうち、複数の経路で重複して見つかったプリンタを検出する検出手段と、
プリンタを探索する前記指示に対して、前記複数の経路で重複して見つかったプリンタを単一の選択肢として表示するためのプリンタの探索結果を応答する応答手段と、
前記複数の経路で重複して見つかった前記プリンタに対応する印刷設定画面が呼び出された場合に、前記プリンタに対して見つかった複数の経路から、印刷処理に用いる一つの経路を選択可能な前記印刷設定画面を表示する表示手段と、を有することを特徴とする情報処理装置。
【請求項２】
プリンタから能力情報を取得する取得手段と、を有し、
前記表示手段は、前記印刷設定画面が呼び出された場合に、前記印刷設定画面に対応する前記プリンタから取得した前記能力情報に基づいて前記印刷設定画面を表示することを特徴とする請求項１に記載の情報処理装置。
【請求項３】
前記取得手段は、前記印刷設定画面で前記経路が変更された場合に、前記印刷設定画面に対応する前記プリンタから前記能力情報を取得し、
前記表示手段は、前記印刷設定画面で前記経路が変更された場合に、前記印刷設定画面に対応する前記プリンタから取得した前記能力情報に基づいて前記印刷設定画面を更新することを特徴とする請求項２に記載の情報処理装置。
【請求項４】
前記オペレーティングシステムから選択されたプリンタに対する印刷指示を受け付ける第２の受付手段と、
前記印刷指示を受け付けた場合に、前記印刷設定画面で設定が行われたか否か判断する判断手段と、を有し、
前記表示手段は、前記印刷設定画面で設定が行われていないと判断されて、かつ選択された前記プリンタが複数の経路で印刷処理が可能な場合に、選択された前記プリンタに対して見つかった前記複数の経路から、前記印刷処理に用いる一つの経路を選択する選択画面を表示することを特徴とする請求項１乃至３のいずれか１項に記載の情報処理装置。
【請求項５】
前記表示手段は、印刷処理に用いる経路が一つしか利用できないプリンタに対応する印刷設定画面が呼び出された場合に、前記プリンタの印刷経路の表示を含み、前記印刷経路を変更できない前記印刷設定画面を表示することを特徴とする請求項１乃至４のいずれか１項に記載の情報処理装置。
【請求項６】
コンピュータに、
オペレーティングシステムからプリンタを探索する指示を受け付ける受付工程と、
前記指示を受け付けた場合に、プリンタを探索する探索工程と、
前記探索によって見つかったプリンタのうち、複数の経路で重複して見つかったプリンタを検出する検出工程と、
プリンタを探索する前記指示に対して、前記複数の経路で重複して見つかったプリンタを単一の選択肢として表示するためのプリンタの探索結果を応答する応答工程と、
前記複数の経路で重複して見つかった前記プリンタに対応する印刷設定画面が呼び出された場合に、前記プリンタに対して見つかった複数の経路から、印刷処理に用いる一つの経路を選択可能な前記印刷設定画面を表示する表示工程と、を実行させることを特徴とするプログラム。
【請求項７】
前記コンピュータに、
プリンタから能力情報を取得する取得工程と、を実行させ、
前記表示工程は、前記印刷設定画面が呼び出された場合に、前記印刷設定画面に対応する前記プリンタから取得した前記能力情報に基づいて前記印刷設定画面を表示することを特徴とする請求項６に記載のプログラム。
【請求項８】
前記取得工程は、前記印刷設定画面で前記経路が変更された場合に、前記印刷設定画面に対応する前記プリンタから前記能力情報を取得し、
前記表示工程は、前記印刷設定画面で前記経路が変更された場合に、前記印刷設定画面に対応する前記プリンタから取得した前記能力情報に基づいて前記印刷設定画面を更新することを特徴とする請求項７に記載のプログラム。
【請求項９】
前記コンピュータに、
前記オペレーティングシステムから選択されたプリンタに対する印刷指示を受け付ける第２の受付工程と、
前記印刷指示を受け付けた場合に、前記印刷設定画面で設定が行われたか否か判断する判断工程と、を実行させ、
前記表示工程は、前記印刷設定画面で設定が行われていないと判断されて、かつ選択された前記プリンタが複数の経路で印刷処理が可能な場合に、選択された前記プリンタに対して見つかった前記複数の経路から、前記印刷処理に用いる一つの経路を選択する選択画面を表示することを特徴とする請求項６乃至８のいずれか１項に記載のプログラム。
【請求項１０】
前記表示工程は、印刷処理に用いる経路が一つしか利用できないプリンタに対応する印刷設定画面が呼び出された場合に、前記プリンタの印刷経路の表示を含み、前記印刷経路を変更できない前記印刷設定画面を表示することを特徴とする請求項６乃至９のいずれか１項に記載のプログラム。
【請求項１１】
オペレーティングシステムからプリンタを探索する指示を受け付ける受付工程と、
前記指示を受け付けた場合に、プリンタを探索する探索工程と、
前記探索によって見つかったプリンタのうち、複数の経路で重複して見つかったプリンタを検出する検出工程と、
プリンタを探索する前記指示に対して、前記複数の経路で重複して見つかったプリンタを単一の選択肢として表示するためのプリンタの探索結果を応答する応答工程と、
前記複数の経路で重複して見つかった前記プリンタに対応する印刷設定画面が呼び出された場合に、前記プリンタに対して見つかった複数の経路から、印刷処理に用いる一つの経路を選択可能な前記印刷設定画面を表示する表示工程と、を有することを特徴とする制御方法。
【請求項１２】
プリンタを探索する探索手段と、
前記探索によって見つかったプリンタのうち、複数の経路で重複して見つかったプリンタを単一の選択肢として表示手段に表示させる手段と、
前記複数の経路で重複して見つかった前記プリンタに対応する設定画面が呼び出された場合に、前記プリンタに対して見つかった複数の経路のうちの一つの経路を選択可能とするよう当該複数の経路を前記表示手段に表示させる手段と、を有することを特徴とする情報処理装置。
【手続補正書】
【提出日】令和2年4月2日(2020.4.2)
【手続補正１】
【補正対象書類名】特許請求の範囲
【補正対象項目名】全文
【補正方法】変更
【補正の内容】
【特許請求の範囲】
【請求項１】
対象画像に含まれる、複数のポリラインのそれぞれを構成する複数の線分に対して、第１の状態または第２の状態のいずれかを示す情報を保持する保持手段と、
前記対象画像に対してユーザが指示した第１の点および第２の点を取得する取得手段と、
前記取得された第１の点および第２の点が、前記保持手段に保持されている複数のポリラインのうちの１つのポリラインに含まれる複数の頂点のうちの２つの頂点に対応する場合に、前記１つのポリラインにおける前記２つの頂点の間の線分を第２の状態として決定する決定手段と、
を有することを特徴とする情報処理装置。
【請求項２】
前記複数のポリラインのそれぞれは、定義された複数の頂点を繋ぐことで連続する線分の集合であることを特徴とする請求項１に記載の情報処理装置。
【請求項３】
前記取得された第１の点および第２の点が、前記保持手段に保持されている複数のポリラインのうちの１つのポリラインに含まれる複数の頂点のうちの２つの頂点に対応する場合とは、前記第１の点および前記第２の点の間に、前記複数のポリラインのうち１つのポリラインとして予め定義された経路が存在する場合であることを特徴とする請求項１または２に記載の情報処理装置。
【請求項４】
前記取得された第１の点および第２の点のそれぞれが、前記保持手段に保持されている複数のポリラインのうちの１つのポリラインに含まれる複数の頂点に対応するかを判定する判定手段を更に備え、
前記決定手段は、前記判定手段による判定結果に応じた決定を行うことを特徴とする請求項１から３のいずれか１項に記載の情報処理装置。
【請求項５】
前記判定手段が、前記取得された第１の点が前記１つのポリラインに含まれるいずれかの頂点に対応すると判定し、前記取得された第２の点が前記１つのポリラインに含まれるいずれの頂点にも対応していないと判定した場合に、
前記決定手段は、前記１の点が指示すると判定された頂点と、前記第２の点との間の線分を第２の状態として決定することを特徴とする請求項４に記載の情報処理装置。
【請求項６】
前記判定手段が、前記取得された第１の点が前記１つのポリラインに含まれるいずれかの頂点に対応すると判定し、前記取得された第２の点が前記１つのポリラインに含まれるいずれの頂点にも対応していないと判定した場合に、
前記決定手段は、前記第１の点が指示すると判定された頂点と前記１つのポリラインとの位置関係とに基づいて、第２の状態とする線分を決定することを特徴とする請求項４に記載の情報処理装置。
【請求項７】
前記決定手段は、前記１つのポリラインに含まれる頂点それぞれを候補点とし、前記第１の点が対応すると判定された頂点と前記候補点との距離、または、前記第１の点が対応すると判定された頂点と前記候補点との間の線分と前記候補点を一方の端点とする前記１つのポリラインに含まれる線分とのなす角度と、との少なくとも一方に基づいて、第２の状態とする線分を決定することを特徴とする請求項６に記載の情報処理装置。
【請求項８】
前記決定手段は、第２の状態として決定した線分で構成されるポリラインを前記保持手段に追加することを特徴とする請求項１から７のいずれか１項に記載の情報処理装置。
【請求項９】
前記決定手段は、前記保持手段に追加したポリラインに含まれる頂点から所定の距離内にある既に保持されている頂点の情報を削除することを特徴とする請求項８に記載の情報処理装置。
【請求項１０】
前記所定の距離は、前記ユーザによって変更可能であることを特徴とする請求項９に記載の情報処理装置。
【請求項１１】
前記判定手段は、前記取得された第１の点および第２の点が、前記１つのポリラインに含まれる複数の頂点それぞれから所定の範囲にあるか否かを判断することによって、当該第１の点および第２の点が前記２つの頂点を指示しているか否かを判定することを特徴とする請求項４から７のいずれか１項に記載の情報処理装置。
【請求項１２】
前記所定の範囲は、前記ユーザによって変更可能であることを特徴とする請求項１１に記載の情報処理装置。
【請求項１３】
複数のポリラインそれぞれを構成する複数の線分が前記第１の状態または第２の状態であることが区別可能なように表示部に表示する表示手段を更に有することを特徴とする請求項１から１２のいずれか１項に記載の情報処理装置。
【請求項１４】
前記複数のポリラインのそれぞれは、構造物が撮影された画像データから検出された変状を表すことを特徴とする請求項１から１３のいずれか１項に記載の情報処理装置。
【請求項１５】
前記第１の状態は前記線分が前記変状として確定すべきものとしてユーザが決定した状態であり、前記第２の状態は前記線分が前記変状として確定すべきものとしてユーザが決定した状態であることを特徴とする請求項１４に記載の情報処理装置。
【請求項１６】
前記変状はひび割れであることを特徴とする請求項１４または１５に記載の情報処理装置。
【請求項１７】
解析手段によって前記対象画像の変状がポリラインとして特定されていることを特徴とする請求項１４から１６のいずれか１項に記載の情報処理装置。
【請求項１８】
対象画像に含まれる、複数のポリラインそれぞれを構成する複数の線分に対して、第１の状態または第２の状態のいずれかを示す情報を保持する保持手段を有する情報処理装置における情報処理方法であって、
前記対象画像に対してユーザが指示した第１の点および第２の点を取得する取得ステップと、
前記取得された第１の点および第２の点が、前記保持手段に保持されている複数のポリラインのうちの１つのポリラインに含まれる複数の頂点のうちの２つの頂点に対応する場合に、前記１つのポリラインにおける前記２つの頂点の間の線分を第２の状態として決定する決定ステップと、
を有することを特徴とする情報処理方法。
【請求項１９】
コンピュータを、請求項１から１７のいずれか１項に記載の情報処理装置として機能させるためのプログラム。
【手続補正２】
【補正対象書類名】明細書
【補正対象項目名】０００７
【補正方法】変更
【補正の内容】
【０００７】
上記課題を解決するために、本発明は、対象画像に含まれる、複数のポリラインそれぞれを構成する複数の線分に対して、第１の状態または第２の状態のいずれかを示す情報を保持する保持手段と、前記対象画像に対してユーザが指示した第１の点および第２の点を取得する取得手段と、前記取得された第１の点および第２の点が、前記保持手段に保持されている複数のポリラインのうちの１つのポリラインに含まれる複数の頂点のうちの２つの頂点に対応する場合に、前記１つのポリラインにおける前記２つの頂点の間の線分を第２の状態として決定する決定手段と、を有することを特徴とする。
【手続補正書】
【提出日】令和2年4月10日(2020.4.10)
【手続補正１】
【補正対象書類名】特許請求の範囲
【補正対象項目名】全文
【補正方法】変更
【補正の内容】
【特許請求の範囲】
【請求項１】
複数の患者に対応する複数の処方データと当該患者各々に対応する療法履歴とに基づいて、当該患者各々について当該処方データに示された療法の適用が初回であるか否かを判定する判定処理部と、
前記処方データ及び前記判定処理部による判定結果に基づいて、前記判定処理部により初回の適用であると判定された患者数を日付ごとに示したカレンダーを出力可能な出力処理部と、
を備える療法管理システム。
【請求項２】
前記出力処理部は、適用対象の患者数と、前記判定処理部により初回の適用であると判定された患者数とを日付ごとに示したカレンダーを出力可能である、
請求項２に記載の療法管理システム。
【請求項３】
前記カレンダーにおける前記日付欄各々において、前記患者数について入院患者数と外来患者数とが識別可能に示される、
請求項２に記載の療法管理システム。
【請求項４】
前記出力処理部は、前記処方データ及び前記判定処理部による判定結果に基づいて、適用対象の患者数と前記判定処理部により初回の適用であると判定された患者数とを日付ごとに示した療法リストを出力可能である、
請求項２又は３に記載の療法管理システム。
【請求項５】
前記療法リストに、日付が示される日付表示部と、当該日付表示部各々に対応する日付に投薬される患者の処方データの少なくとも一部を示す詳細表示部とが含まれており、
前記日付表示部各々には当該日付表示部の日付に対応する前記患者数が表示され、前記詳細表示部各々には当該詳細表示部の患者についての前記判定処理部による判定結果が表示される、
請求項４に記載の療法管理システム。
【請求項６】
前記出力処理部は、前記カレンダー及び前記療法リストを表示部に出力するものであって、前記日付表示部の操作に応じて当該日付表示部に対応する前記詳細表示部の表示の有無を切り替える、
請求項５に記載の療法管理システム。
【請求項７】
前記出力処理部は、前記カレンダーと前記療法リストとを同一画面上に並べて表示させる、
請求項４〜６のいずれかに記載の療法管理システム。
【請求項８】
複数の患者に対応する複数の処方データと当該患者各々に対応する療法履歴とに基づいて、当該患者各々について当該処方データに示された療法の適用が初回であるか否かを判定する判定ステップと、
前記処方データ及び前記判定ステップによる判定結果に基づいて、前記判定ステップにより初回の適用であると判定された患者数を日付ごとに示したカレンダーを出力可能な出力ステップと、
をコンピュータに実行させるための療法管理プログラム。
【手続補正書】
【提出日】令和2年7月29日(2020.7.29)
【手続補正１】
【補正対象書類名】特許請求の範囲
【補正対象項目名】全文
【補正方法】変更
【補正の内容】
【特許請求の範囲】
【請求項１】
金属粉末と、樹脂バインダと、を含有し、導電性ペーストを調製可能な耐熱導電接着剤であって、
前記金属粉末の配合割合は、該金属粉末と前記樹脂バインダとの合計を１００質量％としたときに、９３質量％以上、１００質量％未満とされ、 
前記導電性ペーストは、３００℃以上で熱処理されるものであり、
３００℃以上、金属粉末の融点以下の範囲で熱処理温度が上昇するにつれてダイシェア試験に基づく接着強度が上昇傾向を示し、且つ体積抵抗が低下傾向を示す耐熱導電接着剤。
【請求項２】
前記金属粉末は、銀粉末、金粉末又は銅粉末からなる請求項１に記載の耐熱導電接着剤。
【請求項３】
前記樹脂バインダは、変性シリコーン又はエポキシ樹脂からなる請求項１又は２に記載の耐熱導電接着剤。  
【請求項４】
５００℃、１５分熱処理後の接着強度が１０ＭＰａ以上、又は体積抵抗が１×１０−５Ω・ｃｍ以下である請求項１〜３の何れか１項に記載の耐熱導電接着剤。
【手続補正書】
【提出日】令和2年2月14日(2020.2.14)
【手続補正１】
【補正対象書類名】特許請求の範囲
【補正対象項目名】請求項１
【補正方法】変更
【補正の内容】
【請求項１】
燃料ガスおよび酸化剤ガスを用いて発電する燃料電池と、
前記燃料電池のアノードに前記燃料ガスを供給するための燃料ガス供給経路と、
前記燃料電池のアノードから排出されたオフガスを前記燃料ガス供給経路に供給するためのリサイクルガス経路と、
前記燃料電池と熱交換する冷却水が循環する冷却水循環経路と、
前記冷却水循環経路および前記リサイクルガス経路と合流する箇所よりも下流の前記燃料ガス供給経路に設けられ、前記燃料ガスが前記冷却水と接触することで前記燃料ガスを加湿する加湿装置と、を備える燃料電池システム。
【手続補正書】
【提出日】令和2年3月13日(2020.3.13)
【手続補正１】
【補正対象書類名】特許請求の範囲
【補正対象項目名】全文
【補正方法】変更
【補正の内容】
【特許請求の範囲】
【請求項１】
開口部が設けられた被取付部に取り付けられる取付部材と、
前記被取付部の内部を通る電線が接続され、前記取付部材に固定された端子台と、
前記端子台とは独立して前記取付部材に着脱自在に取り付けられる照明器具と、
前記端子台と電気接続されるとともに、前記照明器具に取り付けられる光源ユニットとを備え、
前記光源ユニットが取り付けられた前記照明器具が前記取付部材に取り付けられた状態では前記開口部を遮蔽し、前記光源ユニットと前記端子台との電気接続が解除され前記照明器具が前記取付部材から取り外された状態では前記開口部を露出させる照明装置。
【請求項２】
前記取付部材は、平面視で四角形状の枠部材であり、
前記端子台は、前記枠部材の対向する２辺間に架けて設けられた橋状部材を介して前記枠部材に固定されている請求項１に記載の照明装置。
【請求項３】
前記橋状部材は、前記照明器具が取り付けられる前記開口部側に凹む凹部が形成された請求項２に記載の照明装置。
【請求項４】
前記端子台は、前記橋状部材の前記照明器具に対向する面に搭載され、前記照明器具の前記橋状部材に対向する面に設けられたスリットから前記照明器具の内側に突き出して前記照明器具に収納されている請求項２または３に記載の照明装置。
【請求項５】
前記橋状部材は、前記枠部材の前記対向する２辺に沿って存在する前記橋状部材の両端のうち一端を支点として開閉する請求項４に記載の照明装置。
【請求項６】
前記照明器具は、前記光源ユニットから出射される光を反射する反射板と、前記反射板に取り付けられ、前記被取付部の前記開口部が設けられた面に対して、前記反射板よりも大きい角度で前記光源ユニットを遮蔽する板状部材とを有する請求項１から５のいずれか１項に記載の照明装置。
【請求項７】
前記照明器具は、前記光源ユニットから出射される光を反射する反射板と、前記反射板に取り付けられ、前記被取付部の内部に向かって空気を通すために前記反射板に設けられた穴を遮蔽する板状部材とを有する請求項１から５のいずれか１項に記載の照明装置。
【請求項８】
前記板状部材に取り付けられ、前記光源ユニットの配光を制御するオプション材をさらに備える請求項６または７に記載の照明装置。
【手続補正書】
【提出日】令和2年1月31日(2020.1.31)
【手続補正１】
【補正対象書類名】特許請求の範囲
【補正対象項目名】全文
【補正方法】変更
【補正の内容】
【特許請求の範囲】
【請求項１】
支持基板に形成された層状構造体を処理して複数のフレキシブルデバイスを製造するフレキシブルデバイス製造装置において、
前記層状構造体は、前記支持基板の一方の主面と密着するように形成されたフレキシブル膜と、前記フレキシブル膜上に形成されており、前記複数のフレキシブルデバイスに電子デバイスとしての機能を与えるためのデバイス層と、接着剤を介して前記デバイス層を覆うように貼られた保護フィルムとを含んでおり、前記保護フィルムの縁部は、前記接着剤を介して前記支持基板の一方の主面に付着しており、
レーザー光を用いて前記層状構造体を切断して、前記複数のフレキシブルデバイスに夫々対応した複数のデバイス部分と、残余部分とに前記層状構造体を分割する処理を行う第１処理ステーションと、
前記第１処理ステーションで前記層状構造体が処理された後、前記支持基板の他方の主面側から前記フレキシブル膜にレーザー光を照射することで、前記フレキシブル膜と前記支持基板との密着性を低下させる、又は、前記フレキシブル膜の縁部を除いて前記フレキシブル膜と前記支持基板との密着性を低下させる処理を行う第２処理ステーションと、
前記第２処理ステーションで前記層状構造体が処理された後、多孔質粒子で形成された吸着体を有する多孔質真空チャックに前記層状構造体が吸着した状態で前記支持基板と前記多孔質真空チャックとを離間させることで、前記多孔質真空チャックが吸着している前記複数のデバイス部分から、前記残余部分を前記支持基板と共に分離する処理を行うチャックユニットと、
を備える、フレキシブルデバイス製造装置。
【請求項２】
前記チャックユニットを用いて前記層状構造体が処理された後、前記多孔質真空チャックが吸着している前記複数のデバイス部分の各々にフィルムを貼り付ける処理を行う第３処理ステーションを更に備える、請求項１に記載のフレキシブルデバイス製造装置。
【請求項３】
支持基板に形成された層状構造体を処理して複数のフレキシブルデバイスを製造するフレキシブルデバイス製造装置において、
前記層状構造体は、前記支持基板の一方の主面と密着するように形成されたフレキシブル膜と、前記フレキシブル膜上に形成されており、前記複数のフレキシブルデバイスに電子デバイスとしての機能を与えるためのデバイス層と、接着剤を介して前記デバイス層を覆うように貼られた保護フィルムとを含んでおり、前記保護フィルムの縁部は、前記接着剤を介して前記支持基板の一方の主面に付着しており、
前記複数のフレキシブルデバイスに夫々対応した複数のデバイス部分と、残余部分とに前記層状構造体が分割されている状態で前記層状構造体を吸着する多孔質真空チャックと、
前記多孔質真空チャックが前記層状構造体を吸着している状態で、前記支持基板の他方の主面側から前記フレキシブル膜にレーザー光を照射することで、前記フレキシブル膜と前記支持基板との密着性を低下させる、又は、前記フレキシブル膜の縁部を除いて前記フレキシブル膜と前記支持基板との密着性を低下させる処理を行う第１処理ステーションと、
前記第１処理ステーションで前記層状構造体が処理された後、前記支持基板と前記多孔質真空チャックとを離間させることで、前記多孔質真空チャックが吸着している前記複数のデバイス部分から、前記残余部分を前記支持基板と共に分離する処理を行うチャックユニットと、
を備える、フレキシブルデバイス製造装置。
【請求項４】
前記チャックユニットを用いて前記層状構造体が処理された後、前記多孔質真空チャックが吸着している前記複数のデバイス部分の各々にフィルムを貼り付ける処理を行う第２処理ステーションを更に備える、請求項３に記載のフレキシブルデバイス製造装置。
【請求項５】
支持基板に形成された層状構造体を処理して複数のフレキシブルデバイスを製造するフレキシブルデバイス製造装置において、
前記層状構造体を処理する１又は複数の処理ステーションと、
多孔質粒子で形成された吸着体を有する多孔質真空チャックを載置可能であって、第１移動経路に沿って移動自在に設けられた第１移動コンベアユニットと、
前記多孔質真空チャックを載置可能であって、第２移動経路に沿って移動自在に設けられた第２移動コンベアユニットと、
を備えており、
前記第１移動コンベアユニットと前記第２移動コンベアユニットとの間で、前記多孔質真空チャックの移動が行えるように構成されており、
前記多孔質真空チャックは、前記第１移動コンベアユニットに載置された状態で、前記層状構造体を受け取り、
前記多孔質真空チャックは、前記層状構造体を保持した状態で前記第１移動コンベアユニットから前記第２移動コンベアユニットに移動し、
前記多孔質真空チャックは、前記層状構造体を保持していない状態で前記第２移動コンベアユニットから前記第１移動コンベアユニットへと戻される、
フレキシブルデバイス製造装置。
【請求項６】
支持基板に形成された層状構造体を処理して複数のフレキシブルデバイスを製造するフレキシブルデバイスの製造方法において、
前記層状構造体は、前記支持基板の一方の主面と密着するように形成されたフレキシブル膜と、前記フレキシブル膜上に形成されており、前記複数のフレキシブルデバイスに電子デバイスとしての機能を与えるためのデバイス層と、接着剤を介して前記デバイス層を覆うように貼られた保護フィルムとを含んでおり、前記保護フィルムの縁部は、前記接着剤を介して前記支持基板の一方の主面に付着しており、
レーザー光を用いて前記層状構造体を切断して、前記複数のフレキシブルデバイスに夫々対応した複数のデバイス部分と、残余部分とに前記層状構造体を分割する第１工程と、
前記第１工程後、前記支持基板の他方の主面側から前記フレキシブル膜にレーザー光を照射することで、前記フレキシブル膜と前記支持基板との密着性を低下させる、又は、前記フレキシブル膜の縁部を除いて前記フレキシブル膜と前記支持基板との密着性を低下させる第２工程と、
前記第２工程後、多孔質粒子で形成された吸着体を有する多孔質真空チャックに前記層状構造体が吸着した状態で前記支持基板と前記多孔質真空チャックとを離間させることで、前記多孔質真空チャックが吸着している前記複数のデバイス部分から、前記残余部分を前記支持基板と共に分離する第３工程と、
を含む、フレキシブルデバイスの製造方法。
【請求項７】
前記第３工程後、前記多孔質真空チャックが吸着している前記複数のデバイス部分の各々にフィルムを貼り付ける第４工程を更に含む、請求項６に記載のフレキシブルデバイスの製造方法。